(57)【要約】【課題】記憶部に記憶された音声信号とマイクから入力された音声信号とを切り替えて送信する際に、ノイズの発生を低減する。【解決手段】外部から入力される音声を音声信号に変換する入力手段１１と、前記音声信号から量子化データを生成する変換手段１２と、前記量子化データを記憶する記憶手段５０と、外部からの切替命令を受け付けて、前記変換手段１２から出力される量子化データ１３−１および前記記憶手段５０から読み出される量子化データ５０−１を選択的に出力する切替手段７０と、前記切替手段７０から出力される量子化データ１３−１，５０−１を符号化する符号化手段１４と、前記符号化手段１４によって符号化された符号化データを送信する通信手段１５と、を備える。【選択図】図１１
2009027356.tif 000002
【特許請求の範囲】
【請求項１】
外部から入力される音声を音声信号に変換する入力手段と、
前記音声信号から量子化データを生成する変換手段と、
前記量子化データを記憶する記憶手段と、
外部からの切替命令を受け付けて、前記変換手段から出力される量子化データおよび前記記憶手段から読み出される量子化データを選択的に出力する切替手段と、
前記切替手段から出力される量子化データを符号化する符号化手段と、
前記符号化手段によって符号化された符号化データを送信する通信手段と、を備える、通信装置。
【請求項２】
前記記憶手段は、前記符号化手段に量子化データを出力している間、前記量子化データの記憶を停止する、請求項１に記載の通信装置。
【請求項３】
無音に対応する量子化データを出力する無音出力部をさらに備え、
前記切替手段は、前記無音出力部から前記符号化手段に前記無音に対応する量子化データを所定期間出力させてから、前記変換手段から出力される量子化データおよび前記記憶手段から読み出される量子化データを選択的に出力する、請求項１または２に記載の通信装置。
【請求項４】
前記変換手段から出力される量子化データを所定の増幅度合で増幅して出力する第１の増幅手段と、
前記記憶手段から読み出される量子化データを所定の増幅度合で増幅して出力する第２の増幅手段と、
前記第１および第２の増幅手段における増幅度合を制御する制御部と、をさらに備え、
前記制御部は、前記切替手段が、前記第１の増幅手段から出力される量子化データから、前記第２の増幅手段から出力される量子化データへと、前記符号化手段に出力する量子化データを切り替える際に、前記第１の増幅手段による増幅度合を徐々に低め、第２の増幅手段による増幅度合を徐々に高める、請求項１から請求項３のいずれか１項に記載の通信装置。
【請求項５】
前記制御部は、前記切替手段が、前記第２の増幅手段から出力される量子化データから、前記第１の増幅手段から出力される量子化データへと、前記符号化手段に出力する量子化データを切り替える際に、前記第２の増幅手段による増幅度合を徐々に低め、第１の増幅手段による増幅度合を徐々に高める、請求項４に記載の通信装置。
【請求項６】
外部から入力される音声を音声信号に変換する入力手段と、
前記音声信号から量子化データを生成する変換手段と、
前記量子化データを記憶する記憶手段と、
前記変換手段から出力される量子化データと前記記憶手段から読み出される量子化データとを合成して合成データを生成する合成手段と、
外部からの切替命令を受け付けて、前記記憶手段から前記合成手段への量子化データの出力を停止および再開させる切替手段と、
前記合成データを符号化する符号化手段と、
前記符号化手段によって符号化された符号化データを送信する通信手段と、を備える、通信装置。
【請求項７】
前記記憶手段は、前記合成手段に量子化データを出力している間、前記量子化データの記憶を停止する、請求項６に記載の通信装置。
【請求項８】
前記記憶手段から読み出される量子化データを所定の増幅度合で増幅して前記合成手段に出力する第２の増幅手段と、
前記第２の増幅手段における増幅度合を制御する制御部と、をさらに備え、
前記制御部は、前記記憶手段から前記合成手段への量子化データの読み出しを停止させる前に、前記第２の増幅手段による増幅度合を徐々に低め、前記記憶手段から前記合成手段への量子化データの読み出しを再開させた後に、前記第２の増幅手段による増幅度合を徐々に高める制御部と、をさらに備える、請求項６または７に記載の通信装置。
【請求項９】
前記変換手段から出力される量子化データを所定の増幅度合で増幅して前記合成手段に出力する第１の増幅手段をさらに備え、
前記制御部は、前記第１の増幅手段における前記増幅度合を制御し、
前記制御部は、前記記憶手段から前記合成手段への量子化データの読み出しを停止させた後に、前記第１の増幅手段による増幅度合を徐々に高め、前記記憶手段から前記合成手段への量子化データの読み出しを再開させる前に、前記第１の増幅手段による増幅度合を徐々に低める、請求項８に記載の通信装置。
【発明の詳細な説明】
【技術分野】
【０００１】
この発明は、自動車電話や携帯電話等の通信装置に関し、特に送話音声のデジタルデータを記録・送信するための構成に関する。
【背景技術】
【０００２】
自動車電話や携帯電話等の通信装置において、通話中に、受話音声のデジタルデータをメモリ等の記憶手段に記憶して、当該記憶手段から当該デジタルデータを出力して受話音声を再生する通信装置が提案されている。また、待ち受け時に、入力されたメモ音声のデジタルデータをメモリ等の記憶手段に記憶しておき、通話中に当該デジタルデータを記憶手段から出力して送話音声信号とともに送信する通信装置が提案されている。
【０００３】
例えば、特開２００３−２４９９９９号公報（特許文献１）には、受話信号及び送話信号からなる音声信号を記録するためのメモリ、記録処理を終了させる際に操作すべき「ＳＴＯＰ」キーを具えたキー入力装置、及び制御回路を具える携帯電話機が開示されている。当該制御回路は、発信後に相手の通信機器に対する呼出しが開始されたとき、或いは発信後に相手の通信機器との間で通信が確立したときに、音声信号を常に最新の一定データ量分だけメモリに記録する動作を繰り返す記録処理を開始する一方、「ＳＴＯＰ」キーが押下されたときに前記記録処理を終了する。これによって、ユーザが通話中に通話相手の話を聞き逃した場合であっても、通話相手に聞き直すことなく、その話を聞くことができるようになる。
【０００４】
また、特開平９−１３９９７８号公報（特許文献２）では、入力された音声信号をスピーチエンコーダ部で圧縮符号化してＲＦ送信処理部に送り、チャンネルエンコードや変調や送信処理を施して、アンテナを介して送信し、また、アンテナを介して受信された信号に対して、ＲＦ受信処理部で受信処理や復調やチャンネルデコード処理を施した後、スピーチデコーダ部で伸張復号化を施す音声信号送受信装置が開示されている。メモリには、記録および再生制御部により、待ち受け時にスピーチエンコーダ部からの音声パラメータを記憶し、あるいは通話中にスピーチエンコーダ部からあるいはＲＦ受信処理部からの音声パラメータを記憶する。スピーチデコーダ部は２チャンネルの音声デコーダであり、通話中に、メモリからの記録音声パラメータと、スピーチエンコーダ部からの受信音声パラメータとをそれぞれデコードし、ユーザ側で両方の音声を聞けるようにしている。これによって、メモ録音機能付きの携帯電話機で、通話中に相手からの音声のみならずメモ録音した音声が聞けるようになる。
【特許文献１】特開２００３−２４９９９９号公報
【特許文献２】特開平９−１３９９７８号公報
【発明の開示】
【発明が解決しようとする課題】
【０００５】
しかしながら、特開２００３−２４９９９９号公報（特許文献１）には、受話音声と送話音声とからなる音声に対するデジタルデータをメモリに記憶する携帯電話機が開示されているに過ぎず、送話音声に対するデータのみを符号化した信号を送信するための構成については開示されていない。
【０００６】
また、特開平９−１３９９７８号公報（特許文献２）に記載の音声信号送受信装置は、メモ音声に対する符号化後のデジタルデータを記憶することによって、当該記憶したデジタルデータを復号した音声を通話中に再生するものである。そのため、受話音声に対する符号化デジタルデータとメモ音声に対する符号化デジタルデータとを切り替える際に、大きなノイズが発生し、スピーカから雑音が出力されることがある。すなわち、特開平９−１３９９７８号公報（特許文献２）に記載の音声信号送受信装置は、圧縮された高能率符号化のデジタルデータをそのまま使用するものであって、当該デジタルデータを切り替える際には、本来起こり得ないような急激なデータ変化が発生し易く、その際にノイズ等の異音が発生し易い。このようなノイズは、音声信号送受信装置のユーザにとっても、通話相手にとっても不快なものである。
【０００７】
本発明は前記課題を解決するためになされたものであって、本発明の主たる目的は、記憶部に記憶された音声信号とマイクから入力された音声信号とを切り替えて送信する際に、ノイズの発生を低減することにある。
【課題を解決するための手段】
【０００８】
本発明の１つの局面に従うと、通信装置は、外部から入力される音声を音声信号に変換する入力手段と、音声信号から量子化データを生成する変換手段と、量子化データを記憶する記憶手段と、外部からの切替命令を受け付けて、変換手段から出力される量子化データおよび記憶手段から読み出される量子化データを選択的に出力する切替手段と、切替手段から出力される量子化データを符号化する符号化手段と、符号化手段によって符号化された符号化データを送信する通信手段と、を備える。
【０００９】
この局面に従うと、通信装置は、入力された音声に関する量子化データと記憶部に格納されている量子化データとを切り替えて出力するので、つまりＰＣＭデータなどの量子化データの状態で切り替えを行なうので、（切り替え前後のデータに基づいて符号化される）符号化データを切り替える通信装置と比較して、切替時のノイズが発生しにくくなる。
【００１０】
好ましくは、記憶手段は、符号化手段に量子化データを出力している間、量子化データの記憶を停止する。
【００１１】
好ましくは、無音に対応する量子化データを出力する無音出力部をさらに備え、切替手段は、無音出力部から符号化手段に無音に対応する量子化データを所定期間出力させてから、変換手段から出力される量子化データおよび記憶手段から読み出される量子化データを選択的に出力する。
【００１２】
好ましくは、変換手段から出力される量子化データを所定の増幅度合で増幅して出力する第１の増幅手段と、記憶手段から読み出される量子化データを所定の増幅度合で増幅して出力する第２の増幅手段と、第１および第２の増幅手段における増幅度合を制御する制御部と、をさらに備え、制御部は、切替手段が、第１の増幅手段から出力される量子化データから、第２の増幅手段から出力される量子化データへと、符号化手段に出力する量子化データを切り替える際に、第１の増幅手段による増幅度合を徐々に低め、第２の増幅手段による増幅度合を徐々に高める。
【００１３】
好ましくは、制御部は、切替手段が、第２の増幅手段から出力される量子化データから、第１の増幅手段から出力される量子化データへと、符号化手段に出力する量子化データを切り替える際に、第２の増幅手段による増幅度合を徐々に低め、第１の増幅手段による増幅度合を徐々に高める。
【００１４】
本発明の別の局面に従えば、通信装置は、外部から入力される音声を音声信号に変換する入力手段と、音声信号から量子化データを生成する変換手段と、量子化データを記憶する記憶手段と、変換手段から出力される量子化データと記憶手段から読み出される量子化データとを合成して合成データを生成する合成手段と、外部からの切替命令を受け付けて、記憶手段から合成手段への量子化データの出力を停止および再開させる切替手段と、合成データを符号化する符号化手段と、符号化手段によって符号化された符号化データを送信する通信手段と、を備える。
【００１５】
好ましくは、記憶手段は、合成手段に量子化データを出力している間、量子化データの記憶を停止する。
【００１６】
好ましくは、記憶手段から読み出される量子化データを所定の増幅度合で増幅して合成手段に出力する第２の増幅手段と、第２の増幅手段における増幅度合を制御する制御部と、をさらに備え、制御部は、記憶手段から合成手段への量子化データの読み出しを停止させる前に、第２の増幅手段による増幅度合を徐々に低め、記憶手段から合成手段への量子化データの読み出しを再開させた後に、第２の増幅手段による増幅度合を徐々に高める制御部と、をさらに備える。
【００１７】
好ましくは、変換手段から出力される量子化データを所定の増幅度合で増幅して合成手段に出力する第１の増幅手段をさらに備え、制御部は、第１の増幅手段における増幅度合を制御し、制御部は、記憶手段から合成手段への量子化データの読み出しを停止させた後に、第１の増幅手段による増幅度合を徐々に高め、記憶手段から合成手段への量子化データの読み出しを再開させる前に、第１の増幅手段による増幅度合を徐々に低める。
【発明の効果】
【００１８】
以上のように、本発明に係る通信装置によって、記憶部に記憶された音声信号とマイクから入力された音声信号とを切り替えて送信する際に、ノイズの発生を低減することが可能になる。
【発明を実施するための最良の形態】
【００１９】
以下、図面に基づいて本発明の実施の形態について説明する。なお以下の説明では、同一の部品については同一の符号を付すものとし、前記部品の名称や機能が同一である場合には、前記部品についての詳細な説明は繰り返さない。
【００２０】
また、以下では、携帯電話１００を、本発明の「通信装置」の一例として説明を行なうこととする。ただし、本発明は、ＰＤＡ(Personal Digital Assistants)などの他の携帯情報機器やその他の携帯型通信端末装置にも適用可能なものである。
【００２１】
［実施の形態１］
まず、通信装置の実施の形態としての携帯電話１００について説明する。図１は、本実施の形態に係る通信装置の一例としての携帯電話１００を示す外観斜視図である。図１には、通信装置として、代表的に折畳式の携帯電話１００を示すが、このような形式に限定されるものではない。
【００２２】
図１に示すように、携帯電話１００は、第１の筐体１１４と、第２の筐体１１６と、第１のスピーカ１７３と、第２のスピーカ２５と、メインディスプレイ（モニタ１５０）と、カメラ１４２と、入力部１２０と、マイク１１とを含む。第１の筐体１１４と第２の筐体１１６とは、接続部１０５にて折畳み可能に接続されている。
【００２３】
入力部１２０は、決定キー１２２Ａなどの複数のキーを含む機能キー群１２２と、数字等の入力のためのテンキーを含むテンキー群１２４とを備える。機能キー群１２２は、メインディスプレイ（モニタ１５０）上の表示の少なくとも一部（表示全体、または、メインディスプレイ（モニタ１５０）上に表示されたカーソル等）を上下左右それぞれに所定の距離だけ移動させるための上キー１２１Ａ，下キー１２１Ｂ，左キー１２１Ｃ，右キー１２１Ｄと、移動したカーソル等に対応する処理に決定したことを入力するための決定キー１２２Ａと、を含む。
【００２４】
次に、本実施の形態に係る携帯電話１００のハードウェア構成について説明する。図２は、本実施の形態に係る通信装置の一例としての携帯電話１００のハードウェア構成を示すブロック図である。図２に示すように、本実施の形態に係る携帯電話１００は、アンテナ１と、アンテナ１により受信された無線信号の入力を受ける無線通信部１０１と、データを格納するＲＡＭ(Random Access Memory)３（揮発性メモリと不揮発性メモリとを含む）およびＲＯＭ(Read Only Memory)４と、外部から各種の指示の入力を受け付ける入力部１２０と、携帯電話１００の各動作を制御するための制御部１０６と、画像を表示するためのモニタ１５０と、外部からの音声を入力するマイク１１と、電気信号（音声信号）に基づいて音声を出力するスピーカ１７３，２５と、を備える。
【００２５】
無線通信部１０１は、制御部１０６による制御に応じて、アンテナ１を介して無線信号を発信するとともに、外部からの無線信号を受信する。
【００２６】
制御部１０６は、たとえばＣＰＵ（Central Processing Unit）やその他の演算処理装置と、後述する各種機能を実現するためのプログラムとによって実現されるものであって、制御部１０６と他の構成要素とは信号線を介して接続されている。より詳細には、上記の各種処理は、たとえば、ＲＯＭ４に格納された各種の処理手順に関するプログラムが一旦ＲＡＭ３へと読み出され、読み出された前記プログラムが前記ＣＰＵ上で実行されることによって、実現されるものである。ただし、制御部１０６は、各機能を実現する専用のハードウェア回路などによって実現されてもよい。
【００２７】
そして、制御部１０６は、無線通信部１０１などの他の構成要素と連係しながら、携帯電話１００が有する通話機能を実現する。また、制御部１０６は、携帯電話１００の各要素を制御するものであって、各種の演算を実施する装置である。特に、制御部１０６は、後述するように送話音声処理を行うものである。
【００２８】
入力部１２０は、キー入力などによってユーザから情報を受付ける。
モニタ１５０は、液晶パネルやＣＲＴから構成されるものであって、制御部１０６が出力した情報を表示する。
【００２９】
＜先行の機能構成＞
次に、送話音声を送信するための先行の機能構成について説明する。図３は、送話音声データを処理するための先行の機能構成を示す機能ブロック図である。図３に示すように、送話音声がマイク１１などの音声入力手段に入力されてアナログ信号（音声信号）が生成される。当該アナログ信号は、ＡＤ変換（アナログ−デジタル変換）を行なうＡＤ変換部１２に入力される。そして、当該アナログ信号は、ＡＤ変換部１２にてＰＣＭデータ（デジタルデータ)に変換される。
【００３０】
前記ＰＣＭデータは、ＡＤ変換部１２からＰＣＭ入力部１３を経由して音声符号化部１４に入力される。そして、ＰＣＭデータは音声符号化部１４にて符号化されることにより、たとえばＡＭＲ(Adaptive Multiple Rate codec)などの無線にて使用される符号化データに変換される。そして、当該符号化データは、無線処理部１５から無線信号として出力される。
【００３１】
次に、受話音声を受信するための先行の構成について説明する。図４は、受話音声データを処理するための先行の機能構成を示す機能ブロック図である。図４に示すように、無線処理部２１にて受信されたＡＭＲなどの無線信号は、音声復号部２２においてＰＣＭデータに復号される。復号後のＰＣＭデータは、ＰＣＭ出力部２３を経由してＤＡ(デジタル−アナログ)変換部２４へ入力される。そして、当該ＰＣＭデータは、ＤＡ変換部２４にてアナログ信号へと変換されてからスピーカ２５等の音声出力手段に出力され、当該音声出力手段が当該アナログ信号に基づいて受話音声を出力する。
【００３２】
次に、送話音声および受話音声のメモ録音や通話記録が可能な携帯電話における先行の機能構成について説明する。図５は、送話音声および受話音声のメモ録音が可能な通信装置における先行の機能構成を示す機能ブロック図である。図５に示すように、マイク１１から音声符号化部１４までは図３に示すものと同様である。しかし、当該携帯電話においては、音声符号化部１４にて符号化された後の符号化データが録音・再生制御部１８を経てメモリ１７に格納される構成となっている。そして、切替スイッチ１６により、音声符号化部１４からの信号またはメモリ１７からの信号が無線処理部１５に出力される。
【００３３】
図５に示すように、先行の携帯電話においては、再生制御部１８およびメモリ１７が、送話音声のみではなく受話音声のデータも扱う（記録・再生処理を行なう）構成となっている。そのため、再生制御部１８およびメモリ１７が扱うデータの種類およびデータ量が低減させる必要が生じ、図５に示すように、再生制御部１８およびメモリ１７は符号化データを扱う構成としていた。つまり、先行の携帯電話においては、再生制御部１８が、音声符号化部１４および音声復号部２２よりも無線処理部１５，２１側に接続されていた。
【００３４】
このように、切替スイッチ１６，２６によって無線処理部１５に入力される符号化データが切り替えられる構成となっているため、切り替え時に符号化データの大きな変化が生じ、通話相手に不快感を与える程度のノイズが発生することがあった。より詳細には、符号化データは、量子化データにおける前後のデータの差分などに基づいて、符号化もしくは復号化を行なっているため、急に無音状態（「０」のデータが連続している状態）から有音状態に変化した場合などには、数ｍｓｅｃに渡ってノイズが発生することがあった。
【００３５】
また、先行の携帯電話においては、メモリ１７に汎用性を持たせている場合が多く、メモリ１７が有する機能が複数あることにより、再生制御部１８の制御も複雑なものになっていた。
【００３６】
＜本実施の形態に係る機能構成＞
次に、本実施の形態に係る送話音声を送信するための機能構成について説明する。図６は、本実施の形態に係る携帯電話１００における送話音声データを処理するための機能構成を示す機能ブロック図である。携帯電話１００は、マイク１１と、ＡＤ(アナログ−デジタル)変換部１２と、ＰＣＭ入力部１３と、音声符号化部１４と、無線処理部１５と、入力スイッチ３０と、記憶部５０と、無音パターン出力部６０と、切替処理部７０と、制御部１０６と、を備える。本実施の形態においては、ＰＣＭ入力部１３と、記憶部５０と、無音パターン出力部６０と、それらと接続される切替処理部７０とが、音声符号化部１４よりもマイク１１側（上流側）に接続されている。
【００３７】
つまり、本実施の形態においては、切替処理部７０によって切り替えられる音声符号化部１４への入力されるデータが、ＰＣＭデータ（量子化データ）となっている。ここで、量子化データとは、ＡＤ変換部１２により、マイク１１から入力されたアナログの音声信号をサンプリングして、何段階かのデジタルデータに変換した後のデータをいい、量子化データとしては、リニアＰＣＭだけでなく、Ａ−Ｌａｗ、μ−Ｌａｗなどの、アナログデータから変換される（アナログデータの入出力の際に扱われる）他のデジタルデータであってもよい。以下、携帯電話１００を構成する各部の説明を行なう。
【００３８】
マイク１１（入力手段）は、外部から音声が入力されるものであって、当該音声をアナログの音声信号に変換するものである。
【００３９】
ＡＤ変換部（変換手段）１２は、入力された音声信号に対してサンプリングを行い、アナログ信号である当該音声信号をＰＣＭデータに変換するものである。ＡＤ変換部１２は、変換後のＰＣＭデータをＰＣＭ入力部１３に出力する。
【００４０】
ＰＣＭ入力部１３は、ＡＤ変換部１２から入力されたＰＣＭデータを、切替処理部７０へと出力する。また、ＰＣＭ入力部１３は、当該ＰＣＭデータを記憶部５０にも出力する。
【００４１】
音声符号化部１４（符号化手段）は、切替処理部７０から入力されるＰＣＭデータを符号化して、ＡＭＲなど符号化データに変換するものである。音声符号化部１４は、当該符号化データを無線処理部１５に出力するものである。
【００４２】
無線処理部１５（通信手段）は、アンテナ１や無線通信部１０１により実現されるものであって、音声符号化部１４によって符号化された符号化データを電気信号に変換して無線送信するものである。
【００４３】
入力スイッチ３０は、ＰＣＭ入力部１３（ＡＤ変換部１２）と記憶部５０との間に配置されており、ＰＣＭ入力部１３から出力されるＰＣＭデータを記憶部５０に入力させたり、当該入力を停止させたりする。より詳細には、入力スイッチ３０は、記憶部５０がＰＣＭデータを音声符号化部１４に出力している間、制御部１０６からの指令に応じて、ＰＣＭ入力部１３から前記記憶部５０へのＰＣＭデータの入力を停止させる。
【００４４】
つまり、本実施の形態に係る携帯電話１００においては、制御部１０６が入力スイッチ３０を操作することにより、記憶部５０がＰＣＭデータを音声符号化部１４に出力している間、記憶部５０によるＰＣＭデータの記憶動作が停止される構成になっている。
【００４５】
記憶部５０は、ＲＡＭ３などによって実現されるＦＩＦＯ(First-In First-Out)メモリ（リングバッファ）などによって実現されるものであって、ＡＤ変換部１２（ＰＣＭ入力部１３）から入力されるＰＣＭデータをエンドレスに記憶するものである。そして、入力スイッチ３０がオフになっている（切断されている）場合には、当該記憶部５０がＰＣＭデータの記憶を中断する。
【００４６】
より詳細には、記憶部５０は、入力スイッチ３０がオンになっている間、ＡＤ変換部１２から入力される所定期間分のＰＣＭデータを上書きして記憶し続けるものである。そして、記憶部５０に記憶されているＰＣＭデータが切替処理部７０に読み出されている間は、入力スイッチ３０がオフになっており、記憶部５０によるＰＣＭデータの記憶が停止される。すなわち、記憶部５０には、符号化された音声データではなく、符号化される前のＰＣＭデータが記憶されており、切替処理部７０には符号化される前のＰＣＭデータが出力される。
【００４７】
このように、本実施の形態に係る携帯電話１００においては、符号化される前のＰＣＭデータを記憶部５０に記憶する構成としているため、記憶部５０および切替処理部７０にて扱うデータ量を低減するべく、送話音声に対する音声信号（ＰＣＭデータ）のみを記憶する構成としている。
【００４８】
制御部１０６は、外部からの命令を受け付けて、切替処理部７０や入力スイッチ３０を操作する。すなわち、入力部１２０を介して、ユーザからの入力に応じて、ＰＣＭ入力部１３から出力されるＰＣＭデータを音声符号化部１４に入力したり、記憶部５０から出力されるＰＣＭデータを音声符号化部１４に入力したり、無音パターン出力部６０から入力されるＰＣＭデータを音声符号化部１４に出力する。
【００４９】
無音パターン出力部６０は、無音を表わすＰＣＭデータを前記切替処理部７０に出力する。すなわち、無音パターン出力部６０は、すべてのデータが「０」で表わされる音声データまたは白色雑音（ホワイト・ノイズ）を切替処理部７０に出力する。
【００５０】
切替処理部７０は、制御部１０６を介して外部からの切替命令を受け付けて、前記音声符号化部１４に入力されるＰＣＭデータを、ＰＣＭ入力部１３から出力されるＰＣＭデータから、無音パターン出力部６０から出力されるＰＣＭデータに切り替えてから、前記記憶部５０から出力されるＰＣＭデータに切り替える。つまり、切替処理部７０は、外部（ユーザあるいは制御部１０６）からの切替命令を受け付けて、ＡＤ変換部１２から出力される量子化データ１３−１および記憶部５０から読み出される量子化データ５０−１を選択的に出力する。
【００５１】
つまり、切替処理部７０は、ＰＣＭ入力部１３から切替処理部７０に直接出力されたＰＣＭデータ、および、一旦記憶部５０に格納されてから切替処理部７０に出力されたＰＣＭデータのいずれのＰＣＭデータを音声符号化部１４に入力するかを選択する。そして、選択されたＰＣＭデータは、音声符号化部１４にて符号化データに変換されて、無線処理部１５から無線信号として出力される。
【００５２】
このように、本実施の形態においては、切替処理部によって切り替えられるデータは、符号化された後の符号化データではなく、符号化される前のＰＣＭデータであるため、音声符号化部１４および無線処理部１５に入力される音声データに急激な変化が生じ難くなり、ノイズ等が発生し難くなる。
【００５３】
図７は、記憶部５０に記憶される音声データ（ＰＣＭデータ）のデータ構造を示すイメージ図である。図７に示すように、記憶部５０によるＰＣＭデータの記憶方法については、記憶部５０をリングバッファ（ＦＩＦＯメモリ）のようなデータ構造とすることによって、記憶部５０が所定時間におけるＰＣＭデータを常に上書きしながら記憶し続けるように構成されている。記憶されるＰＣＭデータは、所定時間毎のＰＣＭデータが１フレームとして扱われるものとし、複数のフレームがまとめて管理（使用）される。
【００５４】
例えば、通常の音声通話にて使用されるサンプリング周波数を８ＫＨｚとした場合、１サンプルは１／８０００秒になる。そして、１フレームを２０ｍｓとした場合には、１フレームには８０００×２０／１０００＝１６０サンプルが含まれる。そうすると、常時記憶するＰＣＭデータの格納時間を６０秒とした場合のフレーム数は、６０×１０００／２０＝３０００フレームとなり、６０秒間のサンプル数は３０００×１６０＝４８０Ｋサンプルとなる。
【００５５】
つまり、サンプリング周波数を８ＫＨｚとし、常時記憶するＰＣＭデータの格納時間（以下、「記憶時間」という。）を６０秒とする場合においては、記憶部５０内に４８０Ｋサンプル分の記憶領域を専有領域として確保しておき、当該専有領域に送話音声を変換したＰＣＭデータを常時格納し続ける。当該記憶時間は、後述する再生設定画面において、ユーザが所望の長さに設定し直すことができる。
【００５６】
このような構成により、通話相手から送話音声の再送要求があり、当該携帯電話１００から送話音声を再送する場合には、制御部１０６によって記憶部５０に格納されている音声データが切替処理部７０へ入力される。そして、当該再送が行なわれている間は、制御部１０６による制御によって入力スイッチ３０が切断され、記憶部５０へのＰＣＭデータの並行格納が停止される。
【００５７】
図８は、本実施の形態に係る切替処理部７０におけるデータ伝送構成を示すイメージ図である。図８に示すように、音声符号化部１４へ入力される選択ＰＣＭデータ１４−１の切替処理は、ＰＣＭ入力部１３から出力される現在ＰＣＭデータ１３−１と、無音パターン出力部６０から出力される無音ＰＣＭパターン６０−１と、記憶部５０から出力される過去ＰＣＭデータ５０−１と、が切替処理部７０によって切り替えられることによって実行される。
【００５８】
音声符号化部１４へ入力されるＰＣＭデータの種類を急に切り替えると、急激なデータ変化が生じ、ノイズなどが発生し、通話相手に不快感を与えることがある。このため、本実施の形態においては、ＰＣＭ入力部１３からの現在ＰＣＭデータ１３−１から、記憶部５０からの過去ＰＣＭデータ５０−１へと切り替える際に、両者の間にハードウェア回路にて構成される無音パターン出力部６０が出力する無音ＰＣＭパターン６０−１を、所定期間だけ挿入する（挟む）構成としている。
【００５９】
＜送話音声処理＞
以下、本実施の形態に係る携帯電話１００における送話音声処理について説明する。図９は、本実施の形態に係る制御部１０６における送話音声処理の流れを示すフローチャートである。図９に示すように、携帯電話１００における通話が開始されると（ステップ１０２においてＹＥＳの場合、以下ステップをＳと略す。）、モニタ１５０を介して制御部１０６が再生条件設定画面を表示する（Ｓ１０４）。
【００６０】
図１０は、モニタ１５０における再生条件設定画面を示すイメージ図である。図１０に示すように、本実施の形態に係る携帯電話１００においては、記憶時間（再生時間）についての時間を選択することが可能である。制御部１０６は、入力部を介してユーザによるキー操作を受け付けて、必要となるメモリ量（記憶部５０の専有領域の大きさ）を調整する。たとえば、図１０（ａ）に示すように、ユーザに所望の再生時間を段階的に選択させる画面を表示することによって、再生時間を設定する構成であってもよいし、図１０（ｂ）に示すようにスライダーバーを表示することによって、ユーザに所望の再生時間を設定させる構成であってもよい。
【００６１】
図９に示すように、ユーザによって前記再生条件設定画面において再生時間等の再生条件が入力されると（Ｓ１０４においてＹＥＳの場合）、制御部１０６は切替処理部７０を制御して無音パターン出力部６０からの無音ＰＣＭパターン６０−１を音声符号化部１４に入力させる（Ｓ１０６）。これによって、無音ＰＣＭデータ（オール「０」の音声データ）が、音声符号化部１４に入力され、無音ＰＣＭデータが符号化された音声信号が無線処理部１５（アンテナ１および無線通信部１０１）から送信される。
【００６２】
ただし、通話が開始される前に、入力部１２０を介したユーザからの命令によって再生条件の設定が行なわれる構成であってもよい。そして、通話が開始されてから（Ｓ１０２）、入力部１２０を介したユーザからの命令に応じて、切替処理部７０による音声符号化部１４へ入力されるＰＣＭデータの切り替えが行なわれる（Ｓ１０６）構成としてもよい。
【００６３】
そして、予め設定された所定時間（ＰＣＭ入力部１３からの出力される必要量のＰＣＭデータが出力されるまでの時間であって、１００ｍｓｅｃ程度に設定することが好ましい。）、あるいは前記再生時間が終了するまでの時間が経過すると（Ｓ１０８にてＹＥＳの場合）、制御部１０６は、切替処理部７０を制御して記憶部５０から出力される過去ＰＣＭデータ５０−１を音声符号化部１４に入力させる（Ｓ１１０）。これによって、記憶部５０に記憶された再生時間分のＰＣＭデータ５０−１が音声符号化部１４にて符号化されて送信される。このとき、制御部１０６は、入力スイッチ３０を切断し、記憶部５０が上書きされないようにする。
【００６４】
そして、切替処理部７０によって記憶部５０側に切り替えられてから設定された再生時間が経過すると、すなわち記憶部５０からＰＣＭデータ５０−１が全て出力されると（Ｓ１１２にてＹＥＳの場合）、制御部１０６は、切替処理部７０を制御して無音パターン出力部６０からの無音ＰＣＭパターン６０−１を音声符号化部１４に入力させる（Ｓ１１４）。これによって、無音ＰＣＭパターン６０−１が音声符号化部１４にて符号化されて送信される。
【００６５】
そして、予め定められた所定時間が経過すると（Ｓ１１６にてＹＥＳの場合）、制御部１０６は切替処理部７０を制御してＰＣＭ入力部１３から出力される現在ＰＣＭデータ１３−１を音声符号化部１４に入力させる（Ｓ１１８）。これによって、マイク１１から入力された送話音声が、直接音声符号化部１４にて符号化されて無線処理部１５から送信されるようになる。
【００６６】
以上のように、本実施の形態に係る通信装置は、入力された音声に関する量子化データ１３−１と記憶部５０に格納されている量子化データ５０−１とを切り替えて出力するので、つまりＰＣＭデータなどの量子化データの状態で切り替えを行なうので、（切り替え前後のデータに基づいて符号化される）符号化データを切り替える通信装置と比較して、切替時のノイズが発生しにくくなる。
【００６７】
＜変形例＞
次に、本実施の形態における切替処理部７０の変形例について説明する。図１１は、本変形例に係る携帯電話の機能構成を示す機能ブロック図である。携帯電話１００は、マイク１１と、ＡＤ変換部１２と、ＰＣＭ入力部１３と、音声符号化部１４と、無線処理部１５と、入力スイッチ３０と、記憶部５０と、第１の増幅部４１と、第２の増幅部４２と、切替処理部７０と、制御部１０６と、を備える。本変形例においても、ＰＣＭ入力部１３と、記憶部５０と、第１の増幅部４１と、第２の増幅部４２と、それらに接続された切替処理部７０とが、音声符号化部１４よりもマイク１１側（上流側）に接続されている。つまり、切替処理部７０が切り替える音声符号化部１４に入力されるデータが、ＰＣＭデータとなっている。
【００６８】
マイク１１（入力手段）、ＡＤ変換部（変換手段）１２、ＰＣＭ入力部１３、音声符号化部１４（符号化手段）、無線処理部１５（通信手段）、入力スイッチ３０、記憶部５０などの構成は、前述の実施の形態のそれらと同様であるので、ここでは説明を繰り返さない。
【００６９】
第１の増幅部４１は、（ＰＣＭ入力部１３）ＡＤ変換部１２から出力されるＰＣＭデータを増幅して前記切替処理部７０に出力する。より詳しくは、第１の増幅部４１は、（ＰＣＭ入力部１３）ＡＤ変換部１２から出力されるＰＣＭデータに、所定の増幅率（所定倍率）を乗算することによって、ＰＣＭデータの増幅を行なっている。
【００７０】
一方、第２の増幅部４２は、記憶部５０から出力されるＰＣＭデータを増幅して前記切替処理部７０に出力する。より詳しくは、第２の増幅部４１は、記憶部５０から出力されるＰＣＭデータに、所定の増幅率を乗算することによって、ＰＣＭデータの増幅を行なっている。
【００７１】
そして、第１および第２の増幅部４１，４２は制御部１０６によって制御され、すなわち第１および第２の増幅部４１，４２によるＰＣＭデータの増幅度合は制御部１０６によって可変制御される。
【００７２】
切替処理部７０は、外部からの（制御部１０６からの）切替命令を受け付けて、前記音声符号化部１４に入力されるＰＣＭデータを、第１の増幅部４１から出力されるＰＣＭデータから、第２の増幅部４２から出力されるＰＣＭデータに切り替える。つまり、切替処理部７０によって、ＰＣＭ入力部１３から直接出力されるＰＣＭデータおよび一旦記憶部５０に格納されてから出力されるＰＣＭデータのいずれかから、音声符号化部１４に入力されるＰＣＭデータが選択される。そして、選択されたＰＣＭデータは、音声符号化部１４にて符号化データに変換されて、無線処理部１５から無線信号として出力される。
【００７３】
制御部１０６は、外部からの命令を受け付けて、切替処理部７０や入力スイッチ３０を操作する。すなわち、入力部１２０を介し、ユーザからの入力に応じて、ＰＣＭ入力部１３から入力されるＰＣＭデータを音声符号化部１４に出力したり、記憶部５０から入力されるＰＣＭデータを音声符号化部１４に出力したり、無音パターン出力部６０から入力されるＰＣＭデータを音声符号化部１４に出力する。そして、制御部１０６は、第１および第２の増幅部４２による増幅度合を可変制御する。
【００７４】
そして、制御部１０６は、前記音声符号化部１４（切替処理部７０）に入力されるＰＣＭデータを、第１の増幅部４１から出力されるＰＣＭデータから、前記第２の増幅部４２から出力されるＰＣＭデータに切り替える際に、前記第１の増幅部４１による増幅度合を徐々に低め、第２の増幅部４２による増幅度合を徐々に高める。また、制御部１０６は、前記切替処理部７０によって、前記音声符号化部１４に入力されるＰＣＭデータを、前記第２の増幅部４２から出力されるＰＣＭデータから、前記第１の増幅部４１から出力されるＰＣＭデータに切り替える際に、前記第２の増幅部４２による増幅度合を徐々に低め、第１の増幅部４１による増幅度合を徐々に高める。
【００７５】
図１２は、本変形例に係る切替処理部７０におけるデータ伝送構成を示すイメージ図である。図１２に示すように、音声符号化部１４へ入力される選択ＰＣＭデータ１４−１の切替処理は、ＰＣＭ入力部１３および第１の増幅部４１からの現在ＰＣＭデータ１３−１と、記憶部５０および第２の増幅部４２からの過去ＰＣＭデータ５０−１と、が切替処理部７０によって切り替えられることによって行なわれる。
【００７６】
音声符号化部１４へ入力されるＰＣＭデータを急に切り替えると、ＰＣＭデータに急激な変化が生じて、通話相手先において大きなノイズが発生し、通話相手に不快感を与えることがある。そこで、本変形例においては、音声符号化部１４に入力されるＰＣＭデータを、第１の増幅部４１からの現在ＰＣＭデータ１３−１から第２の増幅部４２からの過去ＰＣＭデータ５０−１へと切り替える際に、それらの増幅部４１，４２から出力されたＰＣＭデータに対するゲイン制御を行なう構成としている。
【００７７】
つまり、本変形例においては、第１の増幅部４１からのＰＣＭデータ１３−１から第２の増幅部４２からのＰＣＭデータ５０−１へと切り替える際に、現在ＰＣＭデータ１３−１と過去ＰＣＭデータ５０−１に対して音量調整（振幅調整）を行なうことによって、音声データの急激な変化を防止するための対策を講じている。具体的には、前述したように、制御部１０６が、当該切り替えを行なう際に、ＰＣＭ入力部１３からの現在ＰＣＭデータ１３−１の音量を徐々に下げつつ、記憶部５０からの過去ＰＣＭデータ５０−１の音量を最小レベルから徐々に上げる構成としている。
【００７８】
このように、現在ＰＣＭデータ１３−１，５０−１に対するゲイン制御を行なうことにより、記憶部５０に格納されているＰＣＭデータが出力されている間は、ＰＣＭ入力部１３からの現在ＰＣＭデータ１３−１のゲイン（音声信号の振幅）が最小レベルに抑えられ、実質的に記憶部５０からの過去ＰＣＭデータ５０−１のみが音声符号化部１４に出力される。そして、必要分のデータ再生後は、制御部１０６が記憶部５０から出力される過去ＰＣＭデータ５０−１の音量（音声信号の振幅）を徐々に下げ、一方でＰＣＭ入力部１３から出力される現在ＰＣＭデータ１３−１については音量を最小レベルから徐々に上げていく。そして、切替処理部７０による切替完了時には、記憶部５０からのＰＣＭデータが最小レベルに抑えられ、実質的にＰＣＭ入力部１３側のデータのみが音声符号化部１４に出力されるようになって、携帯電話１００は通常の通話状態に戻る。
【００７９】
＜変形例に係る送話音声処理＞
以下、本変形例に係る携帯電話における送話音声処理について説明する。図１３は、本変形例に係る制御部１０６における送話音声処理の流れを示すフローチャートである。図１３に示すように、携帯電話１００における通話が開始されると（Ｓ２０２においてＹＥＳの場合）、再生条件設定画面が表示される（Ｓ２０４）。そして、再生条件設定画面において再生時間等の再生条件が入力されると（Ｓ２０４においてＹＥＳの場合）、制御部１０６は、第２の増幅部４２の増幅度合を最小レベルに設定する（Ｓ２０６）。
【００８０】
ただし、通話が開始される前に、入力部１２０を介したユーザからの命令によって再生条件の設定が行なわれる構成であってもよい。そして、通話が開始されてから（Ｓ２０２）、入力部１２０を介したユーザからの命令に応じて、第２の増幅部４２の増幅度合が最小レベルに設定される（Ｓ２０６）構成としてもよい。
【００８１】
次に、制御部１０６は、第１の増幅部４１を制御してＰＣＭ入力部１３から出力されるＰＣＭデータの音量レベルを徐々に低下させ（Ｓ２０８）、当該音量レベルが予め定められた音量レベル以下に達したときに、切替処理部が音声符号化部１４に入力されるＰＣＭデータを切り替える（Ｓ２１０）。その後、第２の増幅部４２を制御して記憶部５０から出力されるＰＣＭデータの音量レベルを徐々に増加させる（Ｓ２１２）。
【００８２】
これによって、音声符号化部１４に入力されるＰＣＭデータ中に急激な信号レベルの変化を発生させることなく、ＰＣＭ入力部１３から出力される現在ＰＣＭデータ１３−１から記憶部５０から出力される過去ＰＣＭデータ５０−１への切り替えを行なうことができる。このようにして、記憶部５０に記憶された再生時間分の過去ＰＣＭデータ５０−１が音声符号化部１４にて符号化されて送信される。このとき、制御部１０６は、入力スイッチ３０を切断して、記憶部５０による記憶動作を中断させる。
【００８３】
そして、予め定められた所定時間が経過して（Ｓ２１４にてＹＥＳの場合）、記憶部５０からのＰＣＭデータが全て音声符号化部１４に出力されると（Ｓ２１６にてＹＥＳの場合）、制御部１０６は、第２の増幅部４２を制御して記憶部５０から出力されるＰＣＭデータの音量レベルを徐々に低下させてから（Ｓ２１８）、切替処理部７０のスイッチを切り替え（Ｓ２２０）、第１の増幅部４１を制御してＰＣＭ入力部１３から出力されるＰＣＭデータの音量レベルを徐々に増加させる（Ｓ２２２）。その後、予め定められた所定時間が経過したときに（Ｓ２２４）、通常の通話状態に戻るように構成されている。
【００８４】
このようにして、本実施の形態においては、携帯電話１００は、入力された音声に関する現在ＰＣＭデータ１３−１と記憶部５０に格納されている過去ＰＣＭデータ５０−１とを切り替えて出力するので、符号化データを切り替える先行の通信装置と比較して、切替時のノイズが発生しにくくなる。
【００８５】
図１４は、ＰＣＭデータの切替処理時における音声符号化部１４に入力されるＰＣＭデータの振幅を示すイメージ図である。図１４に示すように、たとえば無音ＰＣＭデータから有音のＰＣＭデータに切り替わるような場合には、ＰＣＭデータの変化が大きくなりノイズが発生し得るが、このようなノイズの発生時間は非常に短い時間でって、実用上、通話相手にとってもあまり不快に感じることはない。
【００８６】
しかし、一般的に、符号化処理および復号化処理を行なう場合には、直前に使用していた音声情報（符号化情報）を利用した音声信号を内部生成するような仕組みになっている。そのため、先行の携帯電話のように符号化データを切り替える構成においては、切り替え時にフレーム（復号処理の単位であって、数１０ｍｓｅｃ程度)数個分にわたって大きな振幅変化が発生することがある。この振幅変化は、本実施の形態において生じるノイズよりも長時間にわたって生じるものであって、通話相手に聴感上の影響を与え、不快な思いをさせる可能性が高いものである。
【００８７】
本実施の形態においては、無音パターン出力部６０や第１および第２の増幅部４１，４２によっても、このような不快感を低減することが可能である。
【００８８】
［実施の形態２］
次に、通信装置の第２の実施の形態に係る携帯電話１００について説明する。全体構成およびハードウェア構成については、図１および図２に示した実施の形態１に係る携帯電話１００と同様であるので、ここでは説明を繰り返さない。
【００８９】
＜本実施の形態に係る機能構成＞
以下、本実施の形態に係る送話音声を送信するための構成について説明する。図１５は、本実施の形態に係る携帯電話における送話音声データを処理するための機能構成を示す機能ブロック図である。携帯電話１００は、マイク１１と、ＡＤ変換部１２と、ＰＣＭ入力部１３と、音声符号化部１４と、無線処理部１５と、入力スイッチ３０と、記憶部５０と、合成処理部８０と、制御部１０６と、を備える。本実施の形態においても、ＰＣＭ入力部１３と、記憶部５０と、それらの合成処理部８０とが、音声符号化部１４よりもマイク１１側（上流側）に接続されている。つまり、合成処理部８０が合成される入力データが、ＰＣＭデータとなっている。
【００９０】
マイク１１（入力手段）は、外部から音声が入力されるものであって、当該音声をアナログの音声信号に変換するものである。
【００９１】
ＡＤ変換部（変換手段）１２は、入力された音声信号（アナログ信号）をＰＣＭデータに変換するものであって、当該ＰＣＭデータをＰＣＭ入力部１３に出力するものである。
【００９２】
ＰＣＭ入力部１３は、ＡＤ変換部１２から入力されたＰＣＭデータを、切替処理部７０に入力する。また、ＰＣＭ入力部１３は、当該ＰＣＭデータを記憶部５０にも出力する。
【００９３】
音声符号化部１４（符号化手段）は、後述する合成処理部８０から入力されるＰＣＭデータを符号化して、当該符号化データを無線処理部１５に出力するものである。すなわち、記憶部５０からは、符号化された音声データではなく符号化前のＰＣＭデータが出力されてくる。
【００９４】
無線処理部１５（通信手段）は、音声符号化部１４によって符号化された符号化データを電気信号に変換して無線送信するものである。
【００９５】
入力スイッチ３０は、記憶部５０がＰＣＭデータを音声符号化部１４に出力している間、制御部１０６からの指令に応じて、前記記憶部５０による前記ＰＣＭデータの記憶を停止させる。本実施の形態に係る携帯電話１００においては、制御部１０６が入力スイッチ３０を操作することによって、記憶部５０がＰＣＭデータを音声符号化部１４に出力している間、前記ＰＣＭ入力部１３から記憶部５０への接続を切断するよう構成されている。
【００９６】
記憶部５０は、ＡＤ変換部１２（ＰＣＭ入力部１３）から入力されるＰＣＭデータをエンドレスに記憶するものである。ただし、入力スイッチ３０がオフになっている場合には、当該記憶部５０はＰＣＭデータの記憶を中断する。そして、記憶部５０は、合成処理部８０に、記憶したＰＣＭデータを出力する。すなわち、記憶部５０には、符号化された音声データではなく、符号化される前のＰＣＭデータが記憶される。本実施の形態に係る携帯電話１００においては、記憶部５０に符号化される前のＰＣＭデータを記憶する構成としているため、記憶部５０および合成処理部８０にて扱うデータ量を低減するために、送話音声のみを記憶する構成としている。
【００９７】
記憶部５０に記憶される（ＰＣＭデータ）のデータ構造は、図７を用いて上述したものと同様であるため、ここでは説明を繰り返さない。
【００９８】
制御部１０６は、外部からの命令を受け付けて、合成処理部８０や入力スイッチ３０を操作する。すなわち、入力部１２０を介し、ユーザからの入力に応じて、ＰＣＭ入力部１３から入力されるＰＣＭデータを音声符号化部１４に出力したり、記憶部５０から入力されるＰＣＭデータを音声符号化部１４に出力したり、無音パターン出力部６０から入力されるＰＣＭデータを音声符号化部１４に出力する。
【００９９】
合成処理部８０は、前記ＡＤ変換部１２（ＰＣＭ入力部１３）から出力されるＰＣＭデータと前記記憶部５０から出力されるＰＣＭデータとを合成（加算）して合成データ（加算データ）を生成する。
【０１００】
図１６は、本実施の形態に係る合成処理部８０におけるデータ伝送構成を示すイメージ図である。図１６に示すように、音声符号化部１４へ入力される合成ＰＣＭデータ１４−２の合成処理は、ＰＣＭ入力部１３からの現在ＰＣＭデータ１３−１と、記憶部５０からの過去ＰＣＭデータ５０−１と、が合成されることによって実施される。より詳細には、合成処理部８０は、現在ＰＣＭデータ１３−１と過去ＰＣＭデータ５０−１とを加算する合成回路８１（合成手段）と、記憶部５０と合成回路８１との間に配置される出力スイッチ８２（切替手段）とを含み、前記出力スイッチ８２によって記憶部５０からの過去ＰＣＭデータ５０−１を合成回路８１に入力するか否かを切り替えている。
【０１０１】
このように、本実施の形態においては、符号化される前のＰＣＭデータを合成する構成としているため、記憶部５０からのＰＣＭデータを合成回路８１に入力した際に、符号化データを合成する場合と比較して、音声符号化部１４に入力されるＰＣＭデータの急激な変化が生じにくい。
【０１０２】
＜送話音声処理＞
以下、本実施の形態に係る携帯電話における送話音声処理について説明する。図１７は、本実施例に係る制御部１０６における送話音声処理の流れを示すフローチャートである。図１７に示すように、携帯電話１００における通話が開始されると（Ｓ３０２においてＹＥＳの場合）、再生条件設定画面が表示される（Ｓ３０４）。そして、再生条件設定画面において再生時間等の再生条件が入力されると（Ｓ３０４においてＹＥＳの場合）、制御部１０６は、合成処理部８０（出力スイッチ８２）を制御して過去ＰＣＭデータ５０−１を合成回路８１に入力させる（Ｓ３０６）。
【０１０３】
ただし、通話が開始される前に、入力部１２０を介したユーザからの命令によって再生条件の設定が行なわれる構成であってもよい。そして、通話が開始されてから（Ｓ３０２）、入力部１２０を介したユーザからの命令に応じて、出力スイッチ８２がオンされて過去ＰＣＭデータ５０−１が合成回路８１に入力される（Ｓ３０６）構成としてもよい。
【０１０４】
このようにして、記憶部５０に記憶された再生時間分のＰＣＭデータ５０−１が符号化されて送信される。このとき、制御部１０６は、入力スイッチ３０を切断し、記憶部５０が上書きされないようにする。そして、前記再生時間が経過すると、すなわち記憶部５０からＰＣＭデータ５０−１が全て出力されると（Ｓ３０８にてＹＥＳの場合）、制御部１０６は、合成処理部８０（出力スイッチ８２）を制御して記憶部５０から合成回路８１へのＰＣＭデータの入力を停止する（Ｓ３１０）。これによって、マイク１１から入力された送話音声がそのまま音声符号化部１４にて符号化されて送信されるようになる。
【０１０５】
このようにして、本実施の形態においては、通信装置（携帯電話１００）は、入力された音声に関する現在ＰＣＭデータ１３−１と記憶部５０に格納されている過去ＰＣＭデータ５０−１とを合成して出力するので、符号化データを切り替える通信装置と比較して、切替時のノイズが発生しにくくなる。図１４に示すように、無音状態から有音のＰＣＭデータに切り替わるような場合に生じるノイズの発生時間は、符号化データを切り替える構成と比較して十分に短い時間でって、実用上、通話相手にとってもあまり不快に感じることはない。
【０１０６】
＜変形例１＞
次に、本実施の形態における携帯電話１００の変形例について説明する。図１８は、本変形例に係る携帯電話１００の機能構成を示す機能ブロック図である。携帯電話１００は、マイク１１と、ＡＤ変換部１２と、ＰＣＭ入力部１３と、音声符号化部１４と、無線処理部１５と、入力スイッチ３０と、第２の増幅部４２と、記憶部５０と、合成処理部８０と、制御部１０６と、を備える。本実施の形態においても、ＰＣＭ入力部１３と、記憶部５０（第２の増幅部４２）と、それらの合成処理部８０とが、音声符号化部１４よりもマイク１１側（上流側）に接続されている。つまり、合成処理部８０が合成する入力データは、ＰＣＭデータとなっている。
【０１０７】
マイク１１（入力手段）、ＡＤ変換部（変換手段）１２、ＰＣＭ入力部１３、音声符号化部１４（符号化手段）、無線処理部１５（通信手段）、入力スイッチ３０、記憶部５０などの構成は、前述の実施の形態のそれらと同様であるので、ここでは説明を繰り返さない。
【０１０８】
制御部１０６は、外部からの命令を受け付けて、合成処理部８０や入力スイッチ３０を操作する。すなわち、入力部１２０を介し、ユーザからの入力に応じて、ＰＣＭ入力部１３から入力されるＰＣＭデータを音声符号化部１４に出力したり、記憶部５０から入力されるＰＣＭデータを音声符号化部１４に出力したり、無音パターン出力部６０から入力されるＰＣＭデータを音声符号化部１４に出力する。そして、制御部１０６は、第２の増幅部４２による増幅度合を可変制御する。
【０１０９】
第２の増幅部４２は、前記記憶部５０から出力されるＰＣＭデータを増幅して前記切替処理部７０に出力する。第２の増幅部４２は制御部１０６によって制御され、すなわち第２の増幅部４２によるＰＣＭデータの増幅度合は制御部１０６によって制御される。
【０１１０】
合成処理部８０は、前記ＡＤ変換部１２（ＰＣＭ入力部１３）から出力されるＰＣＭデータと前記記憶部５０から出力されるＰＣＭデータとを合成して合成データを生成する。第２の増幅部４２は、前記記憶部５０から出力されるＰＣＭデータを増幅して前記合成処理部８０に出力する。
【０１１１】
図１９は、本変形例に係る合成処理部８０のデータ伝送構成を示すイメージ図である。図１９に示すように、音声符号化部１４へ入力される合成ＰＣＭデータ１４−２の合成処理は、ＰＣＭ入力部１３からの現在ＰＣＭデータ１３−１と、記憶部５０および第２の増幅部４２からの過去ＰＣＭデータ５０−１と、が合成されることによって行なわれる。より詳細には、合成処理部８０は、現在ＰＣＭデータ１３−１と過去ＰＣＭデータ５０−１とを加算する合成回路８１（合成手段）と、記憶部５０と合成回路８１との間に配置される出力スイッチ８２（切替手段）とを含み、前記出力スイッチ８２によって記憶部５０からの過去ＰＣＭデータ５０−１を合成回路８１に入力するか否かを切り替えている。
【０１１２】
音声符号化部１４へ入力されるＰＣＭ入力部１３からの現在ＰＣＭデータ１３−１に、記憶部５０および第２の増幅部４２からの過去ＰＣＭデータ５０−１を急に加算すると、ノイズ等が発生して通話相手に不快感を与える可能性がある。そこで、本変形例においては、音声符号化部１４に入力されるＰＣＭデータを、ＰＣＭ入力部１３からのＰＣＭデータ１３−１から第２の増幅部４２からのＰＣＭデータ５０−１へと切り替える際に、合成処理部８０に出力される第２の増幅部４２からのＰＣＭデータ５０−１に対するゲイン制御を行なう構成としている。
【０１１３】
つまり、本変形例においては、過去ＰＣＭデータ５０−１に対して音量調整を行なうことによって、音声符号化部１４に入力されるＰＣＭデータの急激な変化を防止している。より詳細には、当該出力スイッチ８２の切り替えを行なった際に、制御部１０６が第２の増幅部４２を介して、記憶部５０からの過去ＰＣＭデータ５０−１の音量を最小レベルから徐々に上げていく。
【０１１４】
そして、必要分のＰＣＭデータ再生後は、制御部１０６が記憶部５０から出力される過去ＰＣＭデータ５０−１の音量を徐々に下げていく。そして、記憶部５０からのＰＣＭデータの音量が最小レベルに抑えられてから、出力スイッチ８２の切り替えが行なわれ、ＰＣＭ入力部１３側のデータのみが音声符号化部１４に出力されるようになって、携帯電話１００は通常の通話状態に戻る。
【０１１５】
＜変形例１に係る送話音声処理＞
以下、本変形例に係る携帯電話における送話音声処理について説明する。図２０は、本変形例に係る制御部１０６における送話音声処理の流れを示すフローチャートである。図２０に示すように、携帯電話１００における通話が開始されると（Ｓ４０２においてＹＥＳの場合）、再生条件設定画面が表示される（Ｓ４０４）。そして、再生条件設定画面において再生時間等の再生条件が入力されると（Ｓ４０４においてＹＥＳの場合）、制御部１０６は、第２の増幅部４２による記憶部５０からの過去ＰＣＭデータ５０−１の増幅度合を最小レベルに設定してから（Ｓ４０６）、合成処理部８０（出力スイッチ８２）を制御して過去ＰＣＭデータ５０−１を合成回路８１に入力させる（Ｓ４０８）。
【０１１６】
ただし、通話が開始される前に、入力部１２０を介したユーザからの命令によって再生条件の設定が行なわれる構成であってもよい。そして、通話が開始されてから（Ｓ４０２）、入力部１２０を介したユーザからの命令に応じて、出力スイッチ８２がオンされて過去ＰＣＭデータ５０−１が合成回路８１に入力される（Ｓ４０８）構成としてもよい。
【０１１７】
このようにして、記憶部５０に記憶された再生時間分のＰＣＭデータ５０−１が音声符号化部１４にて符号化されて送信される。このとき、制御部１０６は、入力スイッチ３０を切断し、記憶部５０に記憶されたＰＣＭデータが上書きされないようにする。そして、制御部１０６は、出力スイッチ８２を接続した後（Ｓ４０８）、前記第２の増幅部４２による記憶部５０からの過去ＰＣＭデータ５０−１の増幅度合を徐々に増幅していく（Ｓ４１０）。
【０１１８】
次に、予め定められた所定時間（ＰＣＭ入力部１３からの出力される必要量のＰＣＭデータが出力されるまでの時間であって、１００ｍｓｅｃ程度に設定することが好ましい。）が経過して（Ｓ４１２にてＹＥＳの場合）、記憶部５０からＰＣＭデータが全て出力されると（Ｓ４１４にてＹＥＳの場合）、制御部１０６は、第２の増幅部４２を制御して記憶部５０から出力されるＰＣＭデータの音量レベルを徐々に低下させる（Ｓ４１６）。そして、予め定められた所定時間が経過したときに（Ｓ４１８にてＹＥＳの場合）、出力スイッチ８２が切断されて、通常の通話状態に戻るように構成されている（Ｓ４２０）。
【０１１９】
＜変形例２＞
次に、本実施の形態に係る携帯電話のさらに別の変形例について説明する。図２１は、本変形例に係る携帯電話１００の機能構成を示す機能ブロック図である。携帯電話１００は、マイク１１と、ＡＤ変換部１２と、ＰＣＭ入力部１３と、音声符号化部１４と、無線処理部１５と、入力スイッチ３０と、第１の増幅部４１と、第２の増幅部４２と、記憶部５０と、合成処理部８０と、制御部１０６と、を備える。本実施の形態においても、ＰＣＭ入力部１３（第１の増幅部４１）と、記憶部５０（第２の増幅部４２）と、それらと接続される合成処理部８０とが、音声符号化部１４よりもマイク１１側（上流側）に接続されている。つまり、合成処理部８０が合成する入力データは、ＰＣＭデータとなっている。
【０１２０】
マイク１１（入力手段）、ＡＤ変換部（変換手段）１２、ＰＣＭ入力部１３、音声符号化部１４（符号化手段）、無線処理部１５（通信手段）、入力スイッチ３０、記憶部５０などの構成は、前述の実施の形態のそれらと同様であるので、ここでは説明を繰り返さない。
【０１２１】
制御部１０６は、外部からの命令を受け付けて、合成処理部８０や入力スイッチ３０を操作する。すなわち、入力部１２０を介し、ユーザからの入力に応じて、ＰＣＭ入力部１３から入力されるＰＣＭデータを音声符号化部１４に出力したり、記憶部５０から入力されるＰＣＭデータを音声符号化部１４に出力したり、無音パターン出力部６０から入力されるＰＣＭデータを音声符号化部１４に出力する。そして、制御部１０６は、第１および第２の増幅部４２による増幅度合を可変制御する。
【０１２２】
第１の増幅部４１は、（ＰＣＭ入力部１３）ＡＤ変換部１２から出力されるＰＣＭデータを増幅して前記切替処理部７０に出力する。第２の増幅部４２は、前記記憶部５０から出力されるＰＣＭデータを増幅して前記切替処理部７０に出力する。第１および第２の増幅部４１，４２は制御部１０６によって制御され、すなわち第１および第２の増幅部４１，４２によるＰＣＭデータの増幅度合は制御部１０６によって制御される。
【０１２３】
合成処理部８０は、前記ＡＤ変換部１２（ＰＣＭ入力部１３）から出力されるＰＣＭデータと前記記憶部５０から出力されるＰＣＭデータとを合成して合成データを生成する。
【０１２４】
図２２は、本変形例に係る合成処理部８０のデータ伝送構成を示すイメージ図である。図２２に示すように、音声符号化部１４へ入力される合成ＰＣＭデータ１４−２の合成処理は、ＰＣＭ入力部１３および第１の増幅部４１からの現在ＰＣＭデータ１３−１と、記憶部５０および第２の増幅部４２からの過去ＰＣＭデータ５０−１と、が合成されることによって行なわれる。より詳細には、合成処理部８０は、現在ＰＣＭデータ１３−１と過去ＰＣＭデータ５０−１とを加算する合成回路８１（合成手段）と、記憶部５０と合成回路８１との間に配置される出力スイッチ８２（切替手段）とを含み、前記出力スイッチ８２によって記憶部５０からの過去ＰＣＭデータ５０−１を合成回路８１に入力するか否かを切り替えている。
【０１２５】
音声符号化部１４へ入力されるＰＣＭ入力部１３および第１の増幅部４１からの現在ＰＣＭデータ１３−１に、記憶部５０および第２の増幅部４２からの過去ＰＣＭデータ５０−１を、急に加算すると、ノイズ等が発生して通話相手に不快感を与える可能性がある。そこで、本変形例においては、音声符号化部１４に入力されるＰＣＭデータを、第１の増幅部４１からの現在ＰＣＭデータ１３−１に第２の増幅部４２からの過去ＰＣＭデータ５０−１を加算する際に、合成処理部８０に出力される第１の増幅部４１からの現在ＰＣＭデータ１３−１と第２の増幅部４２からの過去ＰＣＭデータ５０−１とに対するゲイン制御を行なう構成としている。
【０１２６】
つまり、本変形例においては、現在ＰＣＭデータ１３−１および過去ＰＣＭデータ５０−１に対して音量調整を行なうことによって、音声符号化部１４に入力されるＰＣＭデータの急激な変化を防止している。前述したように、制御部１０６が、第１の増幅部４１を介してＰＣＭ入力部１３からの現在ＰＣＭデータ１３−１の音量を徐々に下げから、当該切り替えを行ない、その後、第２の増幅部４２を介して記憶部５０からの過去ＰＣＭデータ５０−１の音量を最小レベルから徐々に上げる。
【０１２７】
そして、必要分のデータ再生後は、制御部１０６が記憶部５０から出力される過去ＰＣＭデータ５０−１の音量を徐々に下げてから、当該切り替えを行い、その後、ＰＣＭ入力部１３から出力される現在ＰＣＭデータ１３−１の音量を徐々に上げていく。そして、記憶部５０からのＰＣＭデータが最小レベルまで低下すると、制御部１０６が合成処理部８０の出力スイッチ８２を切断することによって、ＰＣＭ入力部１３側のデータのみがそのまま音声符号化部１４に出力されるようになって、携帯電話１００を通常の通話状態に戻る。
【０１２８】
＜変形例２に係る送話音声処理＞
以下、本変形例に係る携帯電話における送話音声処理について説明する。図２３は、本変形例に係る制御部１０６における送話音声処理の流れを示すフローチャートである。図２３に示すように、まずは、携帯電話１００における通話が開始されて（Ｓ５０２）、再生条件設定画面が表示される（Ｓ５０４）。そして、再生条件設定画面において再生時間等の再生条件が入力されると（Ｓ５０４においてＹＥＳの場合）、第２の増幅部４２による記憶部５０からの過去ＰＣＭデータ５０−１の増幅度合が最小レベルに設定される（Ｓ５０６）。
【０１２９】
ただし、通話が開始される前に、入力部１２０を介したユーザからの命令によって再生条件の設定が行なわれる構成であってもよい。そして、通話が開始されてから（Ｓ５０２）、入力部１２０を介したユーザからの命令に応じて、第２の増幅部４２による記憶部５０からの過去ＰＣＭデータ５０−１の増幅度合が最小レベルに設定される（Ｓ５０６）構成としてもよい。
【０１３０】
次に、制御部１０６は、合成処理部８０（出力スイッチ８２）を制御して過去ＰＣＭデータ５０−１を合成回路８１に入力させる（Ｓ５０８）。これによって、記憶部５０に記憶された再生時間分のＰＣＭデータ５０−１が符号化されて送信され始める。このとき、制御部１０６は、入力スイッチ３０を切断し、記憶部５０に記憶されたＰＣＭデータが上書きされないようにする。
【０１３１】
出力スイッチ８２が接続されると（Ｓ５０８）、前記第１の増幅部４１によるＰＣＭ入力部１３からの現在ＰＣＭデータ１３−１の増幅度合を徐々に低下させ始め（Ｓ５１０）、前記第２の増幅部４２による記憶部５０からの過去ＰＣＭデータ５０−１の増幅度合を徐々に増加させていく（Ｓ５１２）。
【０１３２】
そして、予め定められた所定時間（ＰＣＭ入力部１３からの出力される必要量のＰＣＭデータが出力されるまでの時間であって、１００ｍｓｅｃ程度に設定することが好ましい。）が経過して（Ｓ５１４にてＹＥＳの場合）、記憶部５０からＰＣＭデータが全て出力されると（Ｓ５１６にてＹＥＳの場合）、制御部１０６は、第２の増幅部４２を制御して記憶部５０から出力される過去ＰＣＭデータ５０−１の音量レベルを徐々に低下させて（Ｓ５１８）、第１の増幅部４１を制御してＰＣＭ入力部１３から出力される現在ＰＣＭデータ１３−１の音量レベルを徐々に増加させる（Ｓ５１８）。そして、予め定められた所定時間が経過したときに（Ｓ５２２にてＹＥＳの場合）、制御部１０６が出力スイッチ８２を切断して、通常の通話状態に戻るように構成されている（Ｓ５２４）。
【０１３３】
上記に示す変形例（実施の形態）は、その本質を変容させることなく、互いに組み合わせ可能であり、他の実施形態にも適用することができる。
【０１３４】
そして、今回開示された実施の形態はすべての点で例示であって制限的なものではないと考えられるべきである。本発明の範囲は、上記した説明ではなくて特許請求の範囲によって示され、特許請求の範囲と均等の意味および範囲内においてのすべての変更が含まれることが意図される。
【図面の簡単な説明】
【０１３５】
【図１】実施の形態１に係る通信装置の一例としての携帯電話を示す外観斜視図である。
【図２】実施の形態１に係る通信装置の一例としての携帯電話のハードウェア構成を示すブロック図である。
【図３】送話音声データを処理するための先行の機能構成を示す機能ブロック図である。
【図４】受話音声データを処理するための先行の機能構成を示す機能ブロック図である。
【図５】送話音声および受話音声のメモ録音が可能な通信装置における先行の機能構成を示す機能ブロック図である。
【図６】実施の形態１に係る携帯電話における送話音声データを処理するための機能構成を示す機能ブロック図である。
【図７】記憶部に記憶される音声データのデータ構造を示すイメージ図である。
【図８】実施の形態１に係る切替処理部におけるデータ伝送構成を示すイメージ図である。
【図９】実施の形態１に係る制御部における送話音声処理の流れを示すフローチャートである。
【図１０】モニタにおける再生条件設定画面を示すイメージ図である。
【図１１】実施の形態１における変形例に係る携帯電話の機能構成を示す機能ブロック図である。
【図１２】実施の形態１における変形例に係る切替処理部におけるデータ伝送構成を示すイメージ図である。
【図１３】実施の形態１における変形例に係る制御部における送話音声処理の流れを示すフローチャートである。
【図１４】ＰＣＭデータの切替処理時における音声符号化部に入力されるＰＣＭデータの振幅を示すイメージ図である。
【図１５】実施の形態２に係る携帯電話における送話音声データを処理するための機能構成を示す機能ブロック図である。
【図１６】実施の形態２に係る合成処理部におけるデータ伝送構成を示すイメージ図である。
【図１７】実施の形態２に係る制御部１０６における送話音声処理の流れを示すフローチャートである。
【図１８】実施の形態２における変形例１に係る携帯電話の機能構成を示す機能ブロック図である。
【図１９】実施の形態２における変形例１に係る合成処理部のデータ伝送構成を示すイメージ図である。
【図２０】実施の形態２における変形例１に係る制御部における送話音声処理の流れを示すフローチャートである。
【図２１】実施の形態２における変形例２に係る携帯電話の機能構成を示す機能ブロック図である。
【図２２】実施の形態２における変形例２に係る合成処理部のデータ伝送構成を示すイメージ図である。
【図２３】実施の形態２における変形例２に係る制御部における送話音声処理の流れを示すフローチャートである。
【符号の説明】
【０１３６】
１  アンテナ、１１  音声入力部（マイク）、１２  ＡＤ変換部、１３  ＰＣＭ入力部、１４  音声符号化部、１５，２１  無線処理部、１６  切替スイッチ、１７  メモリ、１８  再生制御部、２２  音声復号部、２４  ＤＡ変換部、２５  音声出力部（スピーカ）、３０  入力スイッチ、４１  第１の増幅部、４２  第２の増幅部、５０  記憶部、６０  無音パターン出力部、７０  切替処理部、８０  合成処理部、８１  合成回路（合成手段）、８２  出力スイッチ（切替手段）、１００  携帯電話、１０１  無線通信部、１０６  制御部、１２０  入力部、１５０  モニタ。
【図１】
2009027356.tif 000003
【図２】
2009027356.tif 000004
【図３】
2009027356.tif 000005
【図４】
2009027356.tif 000006
【図５】
2009027356.tif 000007
【図６】
2009027356.tif 000008
【図７】
2009027356.tif 000009
【図８】
2009027356.tif 000010
【図９】
2009027356.tif 000011
【図１０】
2009027356.tif 000012
【図１１】
2009027356.tif 000013
【図１２】
2009027356.tif 000014
【図１３】
2009027356.tif 000015
【図１４】
2009027356.tif 000016
【図１５】
2009027356.tif 000017
【図１６】
2009027356.tif 000018
【図１７】
2009027356.tif 000019
【図１８】
2009027356.tif 000020
【図１９】
2009027356.tif 000021
【図２０】
2009027356.tif 000022
【図２１】
2009027356.tif 000023
【図２２】
2009027356.tif 000024
【図２３】
2009027356.tif 000025